(57)【要約】【課題】ヒートポンプ式加熱手段の一日の運転時間を限定して耐久性を向上させる。【解決手段】ヒートポンプ式加熱手段４の一日の運転時間を積算するリミット積算手段１９と、予めヒートポンプ式加熱手段４の必要耐用年数から一日の運転リミット時間を算出し記憶したリミット時間記憶手段２２とを備え、前記リミット積算手段１９による一日の運転積算時間が、リミット時間記憶手段２２に記憶された運転リミット時間に達した時には、ヒートポンプ式加熱手段４のその日の運転は禁止すると共に、以後は蓄暖運転と暖房用電気ヒータ１７による暖房のみを可能とする暖房制御手段２３を備えたので、ヒートポンプ式加熱手段４の耐久性を向上させることが出来た。【選択図】図１
2010007891.tif 000002
【特許請求の範囲】
【請求項１】
湯水を貯湯する貯湯タンクと、前記貯湯タンク内の湯水を加熱するヒートポンプ式加熱手段と、前記貯湯タンクと前記ヒートポンプ式加熱手段とを湯水が循環可能に接続するヒーポン循環回路と、前記貯湯タンク内の湯水で２次側の暖房用循環液を加熱するための暖房熱交換器と、前記貯湯タンク内の湯水を前記暖房熱交換器へ循環させる蓄暖回路と、前記暖房熱交換器と直列状態で接続され暖房用循環液を加熱する暖房用電気ヒータとを備え、前記貯湯タンク内の湯水を前記ヒーポン循環回路を介して循環加熱する貯湯運転と、前記貯湯タンク内の湯水を前記蓄暖回路を介して前記暖房熱交換器へ循環させて暖房運転を行う蓄暖運転と、貯湯運転しながら蓄暖運転する貯湯蓄暖運転とを行うと共に、暖房用電気ヒータによる電気ヒータ暖房とを行うようにしたヒートポンプ貯湯式給湯暖房装置に於いて、前記ヒートポンプ式加熱手段の一日の運転時間を積算するリミット積算手段と、予めヒートポンプ式加熱手段の必要耐用年数から一日の運転リミット時間を算出し記憶したリミット時間記憶手段とを備え、前記リミット積算手段による一日の運転積算時間が、リミット時間記憶手段に記憶された運転リミット時間に達した時には、ヒートポンプ式加熱手段のその日の運転は禁止すると共に、以後は蓄暖運転と暖房用電気ヒータによる暖房のみを可能とする暖房制御手段を備えた事を特徴とするヒートポンプ貯湯式給湯暖房装置。
【請求項２】
前記運転リミット時間に到達後の蓄暖運転は、貯湯タンクのこれ以後の学習給湯使用量以上の熱量が使用可能で、該貯湯タンクの熱量が学習給湯使用量に達した時には、暖房用電気ヒータによってのみ暖房が行われるようにした事を特徴とする請求項１記載のヒートポンプ貯湯式給湯暖房装置。
【発明の詳細な説明】
【技術分野】
【０００１】
この発明は、貯湯タンク内の湯水を暖房熱交換器へ循環させて行う暖房運転と、ヒートポンプ式加熱手段で加熱した湯水を暖房熱交換器へ循環させて行う暖房運転と、暖房用電気ヒータを熱源とする暖房とを切り換えるようにしたヒートポンプ貯湯式給湯暖房装置に関するものである。
【背景技術】
【０００２】
従来、この種のヒートポンプ貯湯式給湯暖房装置に於いては、ヒートポンプ式加熱手段により深夜時間帯に貯湯タンク内の水を循環加熱して昼間での給湯に必要な分量を貯湯し、暖房を行う場合は、貯湯タンク内の湯水を暖房熱交換器へ循環させて行う蓄暖運転と、ヒートポンプ式加熱手段で加熱した湯水を暖房熱交換器へ循環させて行う暖房運転とを切り換えて行うようにしたものがあった。
【０００３】
そして、貯湯タンク内の貯湯熱量が多い場合は蓄暖運転を行い、蓄暖運転中に貯湯タンク内の貯湯熱量が少なくなった場合に、ヒートポンプ式加熱手段を運転して貯湯タンク内の貯湯熱量を増加させる沸き増し運転を行うようにしていた。
【特許文献１】特開２００４−２１８９０９号公報
【発明の開示】
【発明が解決しようとする課題】
【０００４】
しかし、この従来のものでは、貯湯タンク内の貯湯熱量が一定の値以下になると沸き増し運転をするようにしているため、多様な給湯パターンおよび暖房パターンに対応しにくく、湯切れや湯余りが起きる可能性があった。又暖房や給湯が優先でヒートポンプ式加熱手段の耐久性には考慮がはらわれておらず、２４時間運転や冬期の過酷な条件での運転等によって、普通耐用年数１０年〜１５年のヒートポンプ式加熱手段が数年で取り替えが必要になる等の課題を有するものであった。
【課題を解決するための手段】
【０００５】
この発明は、上記課題を解決する為、特に請求項１の構成では、湯水を貯湯する貯湯タンクと、前記貯湯タンク内の湯水を加熱するヒートポンプ式加熱手段と、前記貯湯タンクと前記ヒートポンプ式加熱手段とを湯水が循環可能に接続するヒーポン循環回路と、前記貯湯タンク内の湯水で２次側の暖房用循環液を加熱するための暖房熱交換器と、前記貯湯タンク内の湯水を前記暖房熱交換器へ循環させる蓄暖回路と、前記暖房熱交換器と直列状態で接続され暖房用循環液を加熱する暖房用電気ヒータとを備え、前記貯湯タンク内の湯水を前記ヒーポン循環回路を介して循環加熱する貯湯運転と、前記貯湯タンク内の湯水を前記蓄暖回路を介して前記暖房熱交換器へ循環させて暖房運転を行う蓄暖運転と、貯湯運転しながら蓄暖運転する貯湯蓄暖運転とを行うと共に、暖房用電気ヒータによる電気ヒータ暖房とを行うようにしたヒートポンプ貯湯式給湯暖房装置に於いて、前記ヒートポンプ式加熱手段の一日の運転時間を積算するリミット積算手段と、予めヒートポンプ式加熱手段の必要耐用年数から一日の運転リミット時間を算出し記憶したリミット時間記憶手段とを備え、前記リミット積算手段による一日の運転積算時間が、リミット時間記憶手段に記憶された運転リミット時間に達した時には、ヒートポンプ式加熱手段のその日の運転は禁止すると共に、以後は蓄暖運転と暖房用電気ヒータによる暖房のみを可能とする暖房制御手段を備えたものである。
【０００６】
又請求項２によれば、前記運転リミット時間に到達後の蓄暖運転は、貯湯タンクのこれ以後の学習給湯使用量以上の熱量が使用可能で、該貯湯タンクの熱量が学習給湯使用量に達した時には、暖房用電気ヒータによってのみ暖房が行われるようにしたものである。
【発明の効果】
【０００７】
この発明によれば、ヒートポンプ式加熱手段の耐久年数を優先して制御することで、冬期に於ける低温動作、除霜繰り返し、高入水温度、連続運転といった状況でも安定的なヒートポンプ耐久性を確保することが可能となる。又暖房と給湯を同時に運用する多機能に於いては、使用者の使用状態、住宅事情によってヒートポンプの耐久時間が様々となってしまう為、ヒートポンプ耐久性の予想が難しかったが、ヒートポンプ式加熱手段動作時間に規制を設けることで、確実な商品保証が可能となる。更に暖房用電気ヒータとヒートポンプ式加熱手段とを連動させることで、ヒートポンプ式加熱手段リミット停止後の湯切れ、暖房出力不足を賄うことが出来、良好な給湯及び暖房が継続して行われるものである。
【０００８】
又請求項２によれば、ヒートポンプ式加熱手段の運転リミット時間の到達後は、該ヒートポンプ式加熱手段が運転しないことを前提として、貯湯タンク内の熱量は給湯優先とされ、学習給湯使用量を越えての使用を禁止し、暖房は暖房用電気ヒータによる加熱のみで行うもので、給湯は湯切れ等の心配もなく良好であると共に、暖房も暖房用電気ヒータによって確実に行われねものである。
【発明を実施するための最良の形態】
【０００９】
この発明のヒートポンプ貯湯式給湯暖房装置の一実施形態を図１に基づいて説明する。
１は湯水を貯湯する貯湯タンク、２は貯湯タンク１の下部に接続された給水管、３は貯湯タンク１の上部に接続された給湯管、４は貯湯タンク１内の湯水を加熱するヒートポンプ式加熱手段、５は貯湯タンク１下部とヒートポンプ式加熱手段４と貯湯タンク１上部とを貯湯タンク１内の湯水が循環可能に接続するヒーポン循環回路、６はヒーポン循環回路５途中に設けられたヒーポン循環ポンプである。また、図示しないが給湯管３から分岐して浴槽への湯張り回路が設けられている。
【００１０】
前記ヒートポンプ式加熱手段４は、冷媒を圧縮する圧縮機７、高温高圧の冷媒から貯湯タンク１の湯水へ放熱する水熱交換器８、冷媒を減圧する膨張弁９、低温低圧の冷媒を空気との熱交換で蒸発させる空気熱交換器１０を環状に接続して構成されている。
【００１１】
１１は貯湯タンク１内の湯水で２次側の暖房用循環液を加熱するための暖房熱交換器、１２は前記貯湯タンク１内の湯水を暖房熱交換器１１へ循環させるための蓄暖回路、１３は蓄暖回路１２途中に設けられた１次側暖房ポンプ、１４は温水式床暖房パネル等の温水暖房端末器、１５は暖房熱交換器１１の２次側と温水暖房端末器１４とを暖房用循環液が循環可能に接続する２次側循環回路、１６は２次側循環回路１５途中に設けられた２次側暖房ポンプであり、１７は２次側循環回路１５の暖房熱交換器１１と温水暖房端末器１４との間に該暖房熱交換器１１と直列状態に接続された暖房用電気ヒータで、暖房熱交換器１１と共に、又は単独で暖房用循環液を所定温度まで加熱して、温水暖房端末１４で放熱させて暖房を行うものである。
【００１２】
１８は貯湯タンク１の側面上下に複数設けられた貯湯温度センサ、１９はヒートポンプ式加熱手段４の一日の貯湯沸き上げ運転時間を積算するリミット積算手段で、貯湯タンク１側の制御を行うタンク制御部２０からヒートポンプ式加熱手段４を制御するヒーポン制御部２１への沸き上げ開始信号でカウントを開始するものである。２２は予めヒートポンプ式加熱手段４の必要耐用年数（１０年うち３０ヶ月は夏場、３万時間）から一日の運転リミット時間ここでは１０時間を算出し記憶したリミット時間記憶手段、２３は前記リミット積算手段１９による一日の貯湯沸き上げ運転時間がリミット時間記憶手段２２の記憶している１０時間に達することで、ヒートポンプ式加熱手段４のその日の運転を禁止し、以後は蓄暖運転と暖房用電気ヒータ１７による電気ヒータ暖房のみとする暖房制御手段である。
【００１３】
２４はヒートポンプ式加熱手段４への入水温度を検知するヒーポン往き温度センサで、ヒーポン戻り側のヒーポン戻り温度センサ２５との温度差により、ヒーポン循環ポンプ６等の運転を制御するものであり、２６は暖房熱交換器１１への湯水の流入温度を検知する暖房往き温度センサで、湯水の戻り側の暖房戻り温度センサ２７との温度差により、一次側暖房ポンプ１３等の運転を制御するものである。
【００１４】
次にこの一実施形態の作動について説明する。
深夜時間帯になると翌朝までの間にヒートポンプ式加熱手段４とヒーポン循環ポンプ６を運転し、貯湯タンク１の下部から取り出した低温の湯水を水熱交換器８で所定の高温になるように加熱して貯湯タンク１の上部へ戻すようにして、前日及び過去の給湯実績より学習した最低限貯湯タンク１に貯湯しておかなくてはならない学習最低貯湯量以上の沸き上げ運転を行うものであり、この時、ヒートポンプ式加熱手段４の運転開始と同時にリミット積算手段１９が運転時間のカウントを開始する。
【００１５】
そして、この運転時間がリミット時間記憶手段２２に記憶されている１０時間に達したかを判断し、達したのであれば、ヒートポンプ式加熱手段４の運転を中止し今日一日以後の運転を禁止するものであり、達していないのであれば、貯湯タンク１の全量沸き上げによる沸き上げ運転停止と共に、リミット積算手段１９のカウントも一旦停止されるものである。
【００１６】
又給湯管３の終端に設けられている蛇口が開かれると、貯湯タンク１下部の給水管２から市水が貯湯タンク１内に給水され、貯湯タンク１上部の給湯管３から高温の湯水が給湯される。
【００１７】
次に暖房の運転について説明すると、昼間時間帯の開始直後等の貯湯タンク１内に学習最低貯湯量以上の熱量が確保されている場合に於いては、暖房要求があると、１次側循環ポンプ１３と２次側循環ポンプ１６を駆動して、貯湯タンク１内上部の高温水を暖房熱交換器１１の１次側へ循環させ、２次側へ放熱して貯湯タンク１の下部へ蓄暖回路１２を介して戻される一方、２次側においては、暖房熱交換器１１で加熱された温水が温水暖房端末器１４へ循環して被暖房空間で放熱した後、再度暖房熱交換器１１へ戻って加熱されることで暖房運転を行う。このように深夜時間帯に沸き上げられて貯湯タンク１内に貯められている湯水の熱量のみを用いて暖房を行う運転を蓄暖運転と称する。
【００１８】
そして、蓄暖運転および給湯運転によって貯湯タンク１内の熱量が減った状態で暖房要求があると、１次側循環ポンプ１３と２次側循環ポンプ１６を駆動して、貯湯タンク１内上部の高温水を暖房熱交換器１１の１次側へ循環させ、２次側へ放熱して貯湯タンク１の下部へ蓄暖回路１２を介して戻される一方、２次側においては、暖房熱交換器１１で加熱された温水が温水暖房端末器１４へ循環して被暖房空間で放熱した後、再度暖房熱交換器１１へ戻って加熱されることで暖房運転を行うと同時に、昼間時間帯であってもヒートポンプ式加熱手段４とヒーポン循環ポンプ６を運転し、貯湯タンク１の下部から取り出した低温の湯水を水熱交換器８で所定の高温になるように加熱して貯湯タンク１の上部へ戻すようにして沸き上げ運転を行う。これにより、ヒートポンプ式加熱手段４で加熱貯湯された高温水をすぐに暖房用に用いることができ、貯湯タンク１内の貯湯熱量が少ない場合においても暖房運転を行うことができる。このように蓄暖運転と同時に沸き上げ運転を行う運転を貯湯蓄暖運転と称する。
【００１９】
又ここで、ヒートポンプ式加熱手段４の運転と同時にリミット積算手段１９によるカウントも再開され、前回の沸き上げ運転時間に今回分の時間を加算して行き、この時間がリミット時間記憶手段２２に記憶されている１０時間に達した場合は、暖房制御手段２３によってヒートポンプ式加熱手段４の運転が禁止され、以後は午後１１時の沸き上げ運転まで緊急で給湯が必要になった時を除き運転されないものであり、従って暖房は貯湯タンク１内に貯湯されている学習最低貯湯量以上の熱量による蓄暖運転と、暖房用電気ヒータ１７による電気ヒータ暖房とで行われるものである。
【００２０】
更に貯湯タンク１内の熱量が学習最低貯湯量に減少したことを貯湯温度センサ１８が検知すると、暖房制御手段２３が蓄暖運転を禁止し、暖房用電気ヒータ１７によって二次側の暖房用循環液を直接加熱し温水暖房端末器１４で放熱させる電気ヒータ暖房による暖房運転のみとするものである。
【００２１】
従って、ヒートポンプ式加熱手段４の耐久年数を優先して制御することで、冬期に於ける低温動作、除霜繰り返し、高入水温度、連続運転といった状況でも安定的なヒートポンプ耐久性を確保することが可能となる。又暖房と給湯を同時に運用する多機能に於いては、使用者の使用状態、住宅事情によってヒートポンプの耐久時間が様々となってしまう為、ヒートポンプ耐久性の予想が難しかったが、ヒートポンプ式加熱手段４動作時間に規制を設けることで、確実な商品保証が可能となる。更に暖房用電気ヒータ１７とヒートポンプ式加熱手段４とを連動させることで、ヒートポンプ式加熱手段４リミット停止後の湯切れ、暖房出力不足を賄うことが出来、良好な給湯及び暖房が継続して行われるものである。
【００２２】
この発明においては、暖房運転は２４時間連続運転またはそれに近い運転で行うものとしており、電力単価の安価な深夜時間帯においてはヒートポンプ式加熱手段４で加熱した温水を暖房に用い、昼間時間帯においては深夜時間帯に沸き上げた温水でできる限り給湯と暖房を賄うようにし、貯湯熱量が足りなくなると判断した時点で昼間時間帯の電力を用いてヒートポンプ式加熱手段４で加熱した温水を暖房に用いるようにしたものである。
【００２３】
ここで、暖房制御手段２３は貯湯タンク１内の貯湯熱量に基づいて前記蓄暖運転と前記貯湯蓄暖運転とを切り換えるようにしているもので、図２に基づいて説明すると、貯湯蓄暖運転状態から蓄暖運転状態への切り換え条件は、暖房熱源として利用可能な第１所定温度Ｔｄ（例えば６０℃）以上の貯湯熱量Ｑｄが第１所定量Ｑ１以上ある場合は、ヒートポンプ式加熱手段４とヒーポン循環ポンプ６を運転停止して貯湯蓄暖運転から蓄暖運転へ切り換える。
【００２４】
ここで、第１所定量Ｑ１は所定時間ｔ１の暖房運転を行うことが可能な熱量であり、器具の設置された環境や外気温、設定温度等に応じて可変するもので、実際の器具の使用状況に応じて所定時間ｔ１の暖房運転に消費した熱量を学習値として設定することが望ましい。
【００２５】
また、蓄暖運転状態において、第１所定温度Ｔｄ以上の貯湯熱量が第１所定量Ｑ１より少ない第２所定量Ｑ２以下になるかあるいは、第１所定温度Ｔｄより低く給湯熱源として利用可能な第２所定温度Ｔｋ（例えば４０℃）以上の貯湯熱量Ｑ３以下になると、ヒートポンプ式加熱手段４とヒーポン循環ポンプ６を運転開始して蓄暖運転から貯湯蓄暖運転に切り換える。
【００２６】
ここで、第２所定量Ｑ２は所定時間ｔ１より短い時間ｔ２（０≦ｔ２＜ｔ１）の暖房運転を行うことが可能な熱量である。また第３所定量Ｑ３はその時点にて今後の給湯に必要な学習最低貯湯熱量である。
【００２７】
このように、暖房熱源として利用可能な第１所定温度Ｔｄ以上の貯湯熱量が十分に確保されている場合に蓄暖運転を行い、暖房熱源として利用可能な貯湯熱量が少なくなるかあるいは、その後の給湯運転に必要な貯湯熱量が少なくなると貯湯蓄暖運転を行うようにしているため、暖房用の熱量不足を防止可能であると共に、給湯の湯切れおよび湯余りを防ぐことが可能となり、多様な給湯パターンおよび暖房パターンに対応可能となる。
【００２８】
また、前記暖房制御手段２３は、図示しない浴槽への湯張りを行ったと判断した後は、前記貯湯熱量Ｑ１、Ｑ２、Ｑ３をそれまでよりも少ない値に変更する。このように、湯張りの後は貯湯タンク１内に保有する熱量を少なくすることで、湯切れを防止しつつ深夜時間帯の開始時刻における湯余り量を減少させ、昼間時間帯での沸き上げ運転を少なくすることができるものである。
【００２９】
次にこの発明の他の一実施形態について図４に基づき説明する。なお、先の一実施形態と同一のものあるいはほぼ等しい作動を行うものについては、同一の符号を付してその説明を省略する。
【００３０】
この一実施形態においては、ヒーポン循環回路５と蓄暖回路１２とがその配管を一部共有され貯湯タンク１に対して水熱交換器８と暖房熱交換器１１とが並列になるように配置されていると共に、貯湯タンク１から水熱交換器８と暖房熱交換器１１の分岐位置において、ヒートポンプ式加熱手段４で加熱した温水を貯湯タンク１に戻す量と暖房熱交換器１１へ循環させる量の分配比率を調節する分配弁２８が設けられている。
【００３１】
次に暖房の運転について説明すると、昼間時間帯の開始直後等の貯湯タンク１内に暖房用の熱量が多量に確保されている場合においては、暖房要求があると、分配弁２８を貯湯タンク１と蓄暖回路１２を１００％、ヒーポン循環回路５側を０％の比率とし、１次側循環ポンプ１３と２次側循環ポンプ１６を駆動して、貯湯タンク１内上部の高温水を暖房熱交換器１１の１次側へ循環させ、２次側へ放熱して貯湯タンク１の下部へ蓄暖回路１２を介して戻される一方、２次側においては、暖房熱交換器１１で加熱された温水が温水暖房端末器１４へ循環して被暖房空間で放熱した後、再度暖房熱交換器１１へ戻って加熱されることで暖房運転を行う。このように深夜時間帯に沸き上げられて貯湯タンク１内に貯められている湯水の熱量のみを用いて暖房を行う運転を蓄暖運転と称する。
【００３２】
そして、蓄暖運転および給湯運転によって貯湯タンク１内の熱量が減った状態で暖房要求があると、分配弁２８を貯湯タンク１を所定の開度Ａ％、蓄暖回路１２を所定の開度（１００−Ａ）％、ヒーポン循環回路５を１００％とし、１次側循環ポンプ１３と２次側循環ポンプ１６を駆動して、貯湯タンク１内上部の高温水を暖房熱交換器１１の１次側へ循環させ、２次側へ放熱して貯湯タンク１の下部へ蓄暖回路１２を介して戻される一方、２次側においては、暖房熱交換器１１で加熱された温水が温水暖房端末器１４へ循環して被暖房空間で放熱した後、再度暖房熱交換器１１へ戻って加熱されることで暖房運転を行うと同時に、昼間時間帯であってもヒートポンプ式加熱手段４とヒーポン循環ポンプ６を運転し、貯湯タンク１の下部から取り出した低温の湯水を水熱交換器８で所定の高温になるように加熱して貯湯タンク１の上部および蓄暖回路１２へ循環させるようにして沸き上げ運転を行う。これにより、ヒートポンプ式加熱手段４で加熱された高温水をすぐに暖房用に用いることができ、貯湯タンク１内の貯湯熱量が少ない場合においても暖房運転を行うことができる。ここで、ヒートポンプ式加熱手段４は、安定時の暖房負荷よりも大きな加熱能力のものが選定されるもので、分配弁２８の分配比率を調節することで暖房運転を行いながらも貯湯熱量を増加させることを可能としている。このようにヒートポンプ式加熱手段４で加熱した温水を暖房熱交換器１１へ循環させて暖房を行う運転を直暖運転と称する。
【００３３】
ここで、暖房制御手段２３は貯湯タンク１内の貯湯熱量に基づいて前記蓄暖運転と前記直暖運転とを切り換えるようにしているもので、図５に基づいて説明すると、直暖運転状態から蓄暖運転状態への切り換え条件は、暖房熱源として利用可能な第１所定温度Ｔｄ（例えば６０℃）以上の貯湯熱量Ｑｄが第１所定量Ｑ１以上ある場合は、ヒートポンプ式加熱手段４とヒーポン循環ポンプ６を運転停止して直暖運転から蓄暖運転へ切り換える。
【００３４】
ここで、第１所定量Ｑ１は所定時間ｔ１の暖房運転を行うことが可能な熱量であり、器具の設置された環境や外気温、設定温度等に応じて可変するもので、実際の器具の使用状況に応じて所定時間ｔ１の暖房運転に消費した熱量を学習値として設定することが望ましい。
【００３５】
また、蓄暖運転状態において、第１所定温度Ｔｄ以上の貯湯熱量が第１所定量Ｑ１より少ない第２所定量Ｑ２以下になるかあるいは、第１所定温度Ｔｄより低く給湯熱源として利用可能な第２所定温度Ｔｋ（例えば４０℃）以上の貯湯熱量Ｑ３以下になると、ヒートポンプ式加熱手段４とヒーポン循環ポンプ６を運転開始して蓄暖運転から直暖運転に切り換える。
【００３６】
ここで、第２所定量Ｑ２は所定時間ｔ１より短い時間ｔ２（０≦ｔ２＜ｔ１）の暖房運転を行うことが可能な熱量である。また第３所定量Ｑ３はその時点にて今後の給湯に必要な学習最低貯湯熱量である。
【００３７】
このように、暖房熱源として利用可能な第１所定温度Ｔｄ以上の貯湯熱量が十分に確保されている場合に蓄暖運転を行い、暖房熱源として利用可能な貯湯熱量が少なくなるかあるいは、その後の給湯運転に必要な貯湯熱量が少なくなると直暖運転を行うようにしているため、暖房用の熱量不足を防止可能であると共に、給湯の湯切れおよび湯余りを防ぐことが可能となり、多様な給湯パターンおよび暖房パターンに対応可能となる。
【００３８】
なお、分配弁２８の分配比率を調節することでヒートポンプ式加熱手段４で加熱した温水の暖房に用いる量と貯湯する量とをその時点での状況に応じて適切に分配することができ、湯切れの防止と暖房能力の確保が確実に行える利点がある。
【００３９】
また、前記暖房制御手段２３は、図示しない浴槽への湯張りを行ったと判断した後は、前記貯湯熱量Ｑ１、Ｑ２、Ｑ３をそれまでよりも少ない値に変更する。このように、湯張りの後は貯湯タンク１内に保有する熱量を少なくすることで、湯切れを防止しつつ深夜時間帯の開始時刻における湯余り量を減少させ、昼間時間帯での沸き上げ運転を少なくすることができるものである。
【００４０】
以上のように、先ずヒートポンプ式加熱手段４による直暖運転を行い、リミット時間の到来で貯湯タンク１内の余裕熱量による蓄暖運転に移行し、最後は暖房用電気ヒータ１７による電気ヒータ暖房へと変化して、ヒートポンプ式加熱手段４の耐久性の向上を図ったものである。
【図面の簡単な説明】
【００４１】
【図１】本発明の一実施形態の温水暖房装置の概略構成図。
【図２】同一実施形態の切り換え条件を説明する図。
【図３】同一実施形態の要部電気回路のブロック図。
【図４】本発明の他の一実施形態の温水暖房装置の概略構成図。
【図５】同他の一実施形態の切り換え条件を説明する図。
【符号の説明】
【００４２】
１  貯湯タンク
４  ヒートポンプ式加熱手段
５  ヒーポン循環回路
１１  暖房熱交換器
１２  蓄暖回路
１４  温水暖房端末器
１７  暖房用電気ヒータ
１８  貯湯温度センサ
１９  リミット積算手段
２２  リミット時間記憶手段
２３  暖房制御手段
【図１】
2010007891.tif 000003
【図２】
2010007891.tif 000004
【図３】
2010007891.tif 000005
【図４】
2010007891.tif 000006
【図５】
2010007891.tif 000007